(57)【要約】【課題】書籍の複写の管理を容易にすると同時に、複写後にも、複写物の出典等を把握可能とすることを課題とする。【解決手段】書籍に固着されたＩＣタグから書籍の書誌情報を読み出す情報読出部１１と、書籍に記載された情報を画像として取得する画像取得部２１と、取得された画像を出力する出力部２２、２３であって、出力される画像に、情報読出部１１によって読み出された書誌情報を付加して出力する出力部２２、２３と、出力に関連する情報および書誌情報を関連付けて蓄積する出力情報テーブル３３と、を備える書籍管理システム１とした。【選択図】図２
2009277107.tif 000002
【特許請求の範囲】
【請求項１】
書籍に固着された記憶媒体から、該記憶媒体に記録された、該書籍の書誌情報を読み出す情報読出手段と、
前記書籍に記載された情報を画像として取得する画像取得手段と、
前記画像取得手段によって取得された画像を出力する出力手段であって、出力される画像に、前記情報読出手段によって読み出された書誌情報を付加して出力する、出力手段と、
前記出力手段による出力に関連する情報である出力情報および前記書誌情報を関連付けて蓄積する出力情報蓄積手段と、
を備える書籍管理システム。
【請求項２】
書籍に固着された記憶媒体から、該記憶媒体に記録された、該書籍の識別情報を読み出す情報読出手段と、
前記記憶媒体に記録される識別情報と、該識別情報に係る書籍の書誌情報とを関連付けて蓄積する書誌情報蓄積手段と、
前記情報読出手段によって読み出された識別情報に関連付けられた書誌情報を、前記書誌情報蓄積手段によって蓄積された書誌情報から索出する書誌情報索出手段と、
前記書籍に記載された情報を画像として取得する画像取得手段と、
前記画像取得手段によって取得された画像を出力する出力手段であって、出力される画像に、書誌情報索出手段によって索出された書誌情報を付加して出力する、出力手段と、
前記出力手段による出力に関連する情報である出力情報および前記書誌情報を関連付けて蓄積する出力情報蓄積手段と、
を備える書籍管理システム。
【請求項３】
前記記憶媒体は、記録された情報の非接触読み出しが可能な記憶媒体であり、
前記情報読出手段は、前記記憶媒体から、情報を非接触読み出しする、
請求項１または２に記載の書籍管理システム。
【請求項４】
前記出力手段は、前記画像取得手段によって取得された画像に前記書誌情報を付加して紙媒体へ印刷出力し、
前記出力情報蓄積手段は、少なくとも前記印刷出力の回数を含む出力情報を、前記書誌情報と関連付けて蓄積する、
請求項１から３の何れか一項に記載の書籍管理システム。
【請求項５】
前記出力手段は、前記画像取得手段によって取得された画像に前記書誌情報を付加して電子データとして出力し、
前記出力情報蓄積手段は、少なくとも前記電子データとして出力された画像の数を含む出力情報を、前記書誌情報と関連付けて蓄積する、
請求項１から３の何れか一項に記載の書籍管理システム。
【請求項６】
前記出力手段は、前記画像取得手段によって取得された画像に、該画像の取得が行われた日時または該出力手段による出力が行われる日時を更に付加して出力する、
請求項４または５に記載の書籍管理システム。
【請求項７】
前記情報読出手段、前記画像取得手段および出力手段が配置される所定の空間を隔成するための構造物と、
前記所定の空間に設けられ、前記記憶媒体が固着された書籍が配置される書架と、
を更に備える、請求項１から６の何れか一項に記載の書籍管理システム。
【請求項８】
前記所定の空間と外部の空間との間の、前記書籍の通過を検知可能な位置に設けられ、通過する書籍に固着された前記記憶媒体から情報を読み出すことで、書籍が通過したことを検知する通過検知手段を更に備える、
を更に備える、請求項７に記載の書籍管理システム。
【請求項９】
ユーザ識別子の入力を受け付けるユーザ識別子入力受付手段を更に備え、
前記出力情報蓄積手段は、前記書誌情報および前記出力情報に、前記ユーザ識別子入力受付手段によって受け付けられたユーザ識別子を更に関連付けて蓄積する、
を更に備える、請求項１から８の何れか一項に記載の書籍管理システム。
【請求項１０】
ユーザによる前記書籍に関するコメントの入力を受け付けるコメント入力受付手段と、
前記コメント入力受付手段によって受け付けられたコメントを、前記コメントを入力したユーザのユーザ識別子および前記書誌情報と関連付けて蓄積するコメント蓄積手段を更に備え、
前記出力手段は、出力に係る書籍に関するコメントが前記コメント蓄積手段によって蓄積されている場合に、前記画像取得手段によって取得された画像に、該書籍に係るコメントを更に付加して出力する、
を更に備える、請求項９に記載の書籍管理システム。
【請求項１１】
前記出力手段は、前記画像取得手段によって取得された画像に、著作権関連処理が行われている出力であることを示す表示を更に付加して出力する、
請求項１から１０の何れか一項に記載の書籍管理システム。
【請求項１２】
書籍に固着された記憶媒体から、該記憶媒体に記録された、該書籍の書誌情報を読み出す情報読出ステップと、
前記書籍に記載された情報を画像として取得する画像取得ステップと、
前記画像取得ステップで取得された画像を出力する出力ステップであって、出力される画像に、前記情報読出ステップで読み出された書誌情報を付加して出力する、出力ステップと、
前記出力ステップにおける出力に関連する情報である出力情報および前記書誌情報を関連付けて蓄積する出力情報蓄積ステップと、
を備える書籍管理方法。
【請求項１３】
書籍に固着された記憶媒体から、該記憶媒体に記録された、該書籍の識別情報を読み出す情報読出ステップと、
前記記憶媒体に記録される識別情報と、該識別情報に係る書籍の書誌情報とを関連付けて蓄積する書誌情報蓄積ステップと、
前記情報読出ステップで読み出された識別情報に関連付けられた書誌情報を、前記書誌情報蓄積ステップで蓄積された書誌情報から索出する書誌情報索出ステップと、
前記書籍に記載された情報を画像として取得する画像取得ステップと、
前記画像取得ステップで取得された画像を出力する出力ステップであって、出力される画像に、書誌情報索出ステップで索出された書誌情報を付加して出力する、出力ステップと、
前記出力ステップにおける出力に関連する情報である出力情報および前記書誌情報を関連付けて蓄積する出力情報蓄積ステップと、
を備える書籍管理方法。
【発明の詳細な説明】
【技術分野】
【０００１】
本発明は、書籍を管理する技術に関する。
【背景技術】
【０００２】
従来、ＩＣ（Ｉｎｔｅｇｒａｔｅｄ  Ｃｉｒｃｕｉｔ、集積回路）タグ等のＲＦＩＤ（Ｒａｄｉｏ  Ｆｒｅｑｕｅｎｃｙ  ＩＤｅｎｔｉｆｉｃａｔｉｏｎ）技術を用いて複写を管理する技術として、文書に文書識別情報が記録されたＩＣタグを固着し、ユーザの所有するコピーカードにユーザ識別情報が記録されたＩＣタグを固着し、ユーザ識別情報および文書識別情報の組み合わせと複写条件とを対応付けることで、複写処理を制限する技術があり（特許文献１を参照）、また、原稿に付加されているＩＣタグの情報を読み取る機能を備えた複写装置において、原稿を複写すると共に、原稿のＩＣタグに記憶されている情報を、記録紙に付加されているＩＣタグに書き込む技術がある（特許文献２を参照）。
【０００３】
また、同種の技術として、各種書籍類に付されているＩＣタグとコピー機の読取装置を連動させてコピー権の許可または不許可を付与する技術があり（特許文献３を参照）、書籍類に付されたＩＣタグの中にコピー権およびコピー履歴を記憶させ、コピーの際に認証ＩＤを入力させることで、ユーザおよび書籍類に対するコピーの可否を判断する技術がある（特許文献４を参照）。
【０００４】
更に、書誌情報、文書のキーワード等に基づいて関連する書籍やドキュメントを索出する技術として、電子文書とこれを印刷した紙文書とを対応付けたテーブルを用意し、手書きの注釈をその属性情報を含めて電子化することにより、手書き注釈の検索を可能とする技術があり（特許文献５を参照）、蔵書検索の際に、意味のある文章を読みながら、入力したキーワードと関連を保ちつつ異なる知識データベースから検索を行うための技術があり（特許文献６を参照）、文書画像内の一部領域を検索用パターンとして指定すると、一致する画像パターンを含む領域を関連領域として抽出し、抽出された領域の文字認識を行って検索用情報を得て検索を行う技術がある（特許文献７を参照）。
【特許文献１】特開２００６−１６６２６７号公報
【特許文献２】特開２００７−６３１６号公報
【特許文献３】特開２００５−３５２９５０号公報
【特許文献４】特開２００５−３５２９５４号公報
【特許文献５】特開２００６−３１４９２号公報
【特許文献６】特開３５４３７２６号公報
【特許文献７】特開３７１１６３６号公報
【発明の開示】
【発明が解決しようとする課題】
【０００５】
従来、オフィス内に、定期刊行物や単行本等がディスプレイされる図書コーナーや、様々な資料が蓄積される図書室等が設置される場合がある。また、このような図書コーナーや図書室では、陳列されている書籍の貸し出しが可能であったり、図書コーナーや図書室に設置されている複写機を用いて、書籍内の必要なページの複写を作成することが可能であったりする。しかし、書籍の貸し出し管理や複写の管理は煩雑である。このため、従来、ＩＣタグ等のＲＦＩＤの技術を用いた書籍の管理が提案されている。
【０００６】
ここで、書籍の内容の複写を行った場合、複写の後長い時間が経過すると、複写物の出典や複写物の作成時期等が不明となり、資料の再利用や再調査が困難となるという問題がある。例えば、オフィス内の書籍の一部を適切に引用してプレゼンテーション資料等の資
料を作成したが、出典や作成時間等が記録されていない場合、資料の再利用や再調査が困難となる、といった問題が発生し得る。引用箇所についての出典の表示等は、従来ユーザによって行われていたが、これらの作業は煩雑であり、また、出典の表示を失念してしまう可能性も高い。そして、このような問題は、上記したような従来の書籍管理方法によっても解決されていない。
【０００７】
本発明は、上記した問題に鑑み、書籍の複写の管理を容易にすると同時に、複写後にも、複写物の出典等を把握可能とすることを課題とする。
【課題を解決するための手段】
【０００８】
本発明は、上記した課題を解決するために、書籍に固着された記憶媒体から読み出した書誌情報を出力画像に付加し、且つ、出力に関連する情報と書誌情報とを関連付けて蓄積することで、書籍の複写の管理を容易にすると同時に、複写後にも、複写物の出典等を把握することを可能にした。
【０００９】
詳細には、本発明は、書籍に固着された記憶媒体から、該記憶媒体に記録された、該書籍の書誌情報を読み出す情報読出手段と、前記書籍に記載された情報を画像として取得する画像取得手段と、前記画像取得手段によって取得された画像を出力する出力手段であって、出力される画像に、前記情報読出手段によって読み出された書誌情報を付加して出力する、出力手段と、前記出力手段による出力に関連する情報である出力情報および前記書誌情報を関連付けて蓄積する出力情報蓄積手段と、を備える書籍管理システムである。
【００１０】
本発明に係る書籍管理システムは、例えば、オフィス内における図書コーナーに配置される書籍類を管理するための書籍管理システムとして実施することが出来る。但し、具体的な実施の形態としてはオフィスの図書コーナーに限らず、本発明は、図書室、図書館、書店等、書籍の管理が必要とされる様々な場合に利用することが可能である。また、本発明において、書籍には、製本された一般的な単行本や雑誌類に限らず、ファイル等に綴じられたドキュメント類等、可視的または可読的に情報が記録され、複写機等を用いて複写することが可能な媒体全般が含まれるものとする。
【００１１】
ここで、書籍に固着される記憶媒体としては、書籍の書誌情報を記録することが可能な記憶媒体であれば様々なものを採用することが可能であるが、固着後に書籍から容易に分離されることを防止する観点や、記憶媒体からの情報の読み出しを容易にする観点から、記録された情報の非接触読み出しが可能な記憶媒体が採用されることが好ましい。このような記憶媒体としては、例えば非接触ＩＣタグ等がある。書籍に固着される記憶媒体として、非接触読み出しが可能な記憶媒体が採用される場合、情報読出手段は、前記記憶媒体から、情報を非接触読み出しする。非接触ＩＣタグから情報を読み出す技術としては、従来、ＲＦＩＤ（Ｒａｄｉｏ  Ｆｒｅｑｕｅｎｃｙ  ＩＤｅｎｔｉｆｉｃａｔｉｏｎ）が知られており、本発明の実施にあたっては、このような技術を採用することが出来る。なお、実際に書籍に固着された記憶媒体から情報を読み出すための具体的な方法としては、ＲＦＩＤ以外の方法が採用されてもよい。
【００１２】
本発明では、画像取得手段が書籍に記載された情報を画像として取得し、出力手段が取得画像を出力する。これは、所謂書籍の複写や、書籍のスキャンに相当し、具体的には、本発明に係る画像取得手段および出力手段の機能は、複写機（コピー機）やデジタル撮像装置（スキャナ、デジタルカメラ等）等によって実現されてよい。但し、本発明における出力手段は、従来の複写機やデジタル撮像装置と異なり、出力される画像に、前記情報読出手段によって読み出された書誌情報を付加して出力する点で特徴を有する。
【００１３】
例えば、前記出力手段は、前記画像取得手段によって取得された画像に前記書誌情報を
付加して紙媒体へ印刷出力してもよいし、前記画像取得手段によって取得された画像に前記書誌情報を付加して電子データとして出力してもよい。このようにすることで、印刷出力や電子データの出力が行われた後にも、印刷された紙媒体や電子データに、書籍の画像と共に書籍の書誌情報が記録されていることから、ユーザは、容易に情報の出典を把握することが可能であり、複写資料の再利用、再調査時に活用することが出来る。
【００１４】
更に、本発明は、出力情報蓄積手段を備える。出力情報蓄積手段は、出力手段による出力に関連する情報である出力情報および書誌情報を関連付けて蓄積する。例えば、前記出力情報蓄積手段は、前記印刷出力の回数を含む出力情報を、前記書誌情報と関連付けて蓄積してもよいし、前記電子データとして出力された画像の数を含む出力情報を、前記書誌情報と関連付けて蓄積してもよい。
【００１５】
即ち、本発明に拠れば、出力に関連する情報、例えば出力回数等が書誌情報と関連付けられて蓄積されるため、出力された資料に付加されて出力された書誌情報に基づいて蓄積された情報を検索し、出力に係る情報を得て、複写資料の再利用、再調査に活用することが出来る。
【００１６】
なお、前記出力手段は、前記画像取得手段によって取得された画像に、該画像の取得が行われた日時または該出力手段による出力が行われる日時を更に付加して出力してもよい。複写が行われた日時が出力されることで、複写資料の再利用、再調査時に、複写された紙媒体や電子データが作成された日時を把握することが出来る。また、前記出力手段は、出力処理を行ったユーザの識別子やユーザの名称を更に付加して出力してもよい。ユーザを識別可能な情報が出力されることで、複写資料の再利用、再調査時に、複写を行ったユーザを把握することが出来る。更に、前記出力手段は、前記画像取得手段によって取得された画像に、著作権関連処理が行われている出力であることを示す表示を更に付加して出力してもよい。このような表示が付加されることで、ユーザは安心して複写を行い、また複写資料を提示することが出来、更に、本システムを採用する企業等の組織は、組織の内外に向けて法令順守の姿勢を示すことが出来る。
【００１７】
また、本発明に係る書籍管理システムは、前記情報読出手段、前記画像取得手段および出力手段が配置される所定の空間を隔成するための構造物と、前記所定の空間に設けられ、前記記憶媒体が固着された書籍が配置される書架と、を更に備えてもよい。このようにすることで、オフィス等において、所定の空間を隔成し、この空間を、リフレッシュのための空間や、ナレッジスペースとして提供することが出来る。更に、本発明によれば、この空間において上述の複写管理が行われることにより、簡易な書籍管理および複写した情報のトレーサビリティが提供され、オフィス等においてリフレッシュし、知識を得ることが出来るナレッジスペースとして完結した機能を提供することが可能となる。
【００１８】
また、前記所定の空間と外部の空間との間の、前記書籍の通過を検知可能な位置に設けられ、通過する書籍に固着された前記記憶媒体から情報を読み出すことで、書籍が通過したことを検知する通過検知手段を更に備えてもよい。このようにすることで、所定の空間からの書籍の持ち出しまたは所定の空間への書籍の持ち込みを検知することが出来る。また、書籍の通過が検知された場合に警報を発する手段を更に備えてもよい。また、通過の際に記憶媒体から書誌情報等が読み出されるため、持ち出しまたは持ち込みの時点で、通過した書籍を特定することが可能である。
【００１９】
なお、本発明の書籍管理システムは、管理下の書籍の貸し出しを管理するための手段を備えてもよい。この場合、前記通過検知手段によって書籍の持ち出しが検知された場合にも、貸し出し処理された書籍については警報を出さないようにしてもよい。書籍が貸し出し処理された書籍であるか否かを判定する方法としては、貸し出し処理時に書籍に固着さ
れた記憶媒体に貸し出し中であることを示す情報を書き込むことで、前記通過検知手段が記憶媒体から情報を読み出した時点で書籍が貸し出し中であることを把握できるようにする方法や、書籍が貸し出し中であるか否かを判定可能な情報を書籍の識別情報と関連付けて所定のデータベースに蓄積し、前記通過検知手段によって記憶媒体から読み出された識別情報を用いてこのデータベースから貸し出し中であるか否かを示す情報を索出する方法等が採用できる。また、通過検知手段によって持ち出しが検知された書籍の貸し出し状態を判定する方法としては、その他の方法が採用されてもよい。
【００２０】
また、本発明に係る書籍管理システムは、ユーザ識別子の入力を受け付けるユーザ識別子入力受付手段を更に備え、前記出力情報蓄積手段は、前記書誌情報および前記出力情報に、前記ユーザ識別子入力受付手段によって受け付けられたユーザ識別子を更に関連付けて蓄積してもよい。出力情報蓄積手段によって書誌情報および出力情報にユーザ識別子が関連付けられて蓄積されることで、書籍の複写を行ったユーザを特定することが可能となり、複写資料の再利用、再調査時にこの情報を活用することが出来る。
【００２１】
また、本発明に係る書籍管理システムは、ユーザによる前記書籍に関するコメントの入力を受け付けるコメント入力受付手段と、前記コメント入力受付手段によって受け付けられたコメントを、前記コメントを入力したユーザのユーザ識別子および前記書誌情報と関連付けて蓄積するコメント蓄積手段を更に備え、前記出力手段は、出力に係る書籍に関するコメントが前記コメント蓄積手段によって蓄積されている場合に、前記画像取得手段によって取得された画像に、該書籍に係るコメントを更に付加して出力してもよい。
【００２２】
ここで、ユーザによって入力されるコメントとは、どのようなコメントでもよいが、具体的には、書籍に対する感想、論評、書籍における情報の記載箇所を示すメモ、書籍内の記載に対する注釈、この書籍を利用する他のユーザに対する伝達事項、等がコメントとして入力されてよい。このようなコメントがユーザ識別子および書誌情報と関連付けて蓄積され、出力時に画像に付加して出力されることで、本発明に係る書籍管理システムを利用するユーザ間での知識の蓄積を促進することが可能となり、また、本システムが構造物によって隔成されたナレッジスペースとして実施される場合には、このナレッジスペースにおける知識の蓄積、集約を促進し、ナレッジスペースの価値を高めることが可能となる。
【００２３】
なお、本発明に係る書籍管理システムにおいて、書籍に固着される記憶媒体には、書誌情報に代えて書籍の識別情報を記録することとし、書籍の書誌情報は、この識別情報に基づいて所定のデータベースから取得されることとしてもよい。即ち、本発明は、書籍に固着された記憶媒体から、該記憶媒体に記録された、該書籍の識別情報を読み出す情報読出手段と、前記記憶媒体に記録される識別情報と、該識別情報に係る書籍の書誌情報とを関連付けて蓄積する書誌情報蓄積手段と、前記情報読出手段によって読み出された識別情報に関連付けられた書誌情報を、前記書誌情報蓄積手段によって蓄積された書誌情報から索出する書誌情報索出手段と、前記書籍に記載された情報を画像として取得する画像取得手段と、前記画像取得手段によって取得された画像を出力する出力手段であって、出力される画像に、書誌情報索出手段によって索出された書誌情報を付加して出力する、出力手段と、前記出力手段による出力に関連する情報である出力情報および前記書誌情報を関連付けて蓄積する出力情報蓄積手段と、を備える書籍管理システムであってもよい。なお、記憶媒体に書籍の識別情報を記録する書籍管理システムにおいても、上述した印刷出力や、電子データ出力、複写量やタイムスタンプ等の出力および蓄積、構造物によって隔成される所定の空間への配置、書籍の持ち出し検知、ユーザ識別子の入力、ユーザコメントの蓄積等が採用されてよい。
【００２４】
また、本発明は、書籍管理の方法、コンピュータを上記各手段として機能させるためのプログラム、およびこのプログラムが記録されたコンピュータ読み取り可能な記録媒体の
発明としても把握することが可能である。
【発明の効果】
【００２５】
本発明によって、書籍の複写の管理を容易にすると同時に、複写後にも、複写物の出典等を把握することが可能となる。
【発明を実施するための最良の形態】
【００２６】
以下、本発明の実施の形態について、図面に基づいて説明する。
【００２７】
図１は、本実施形態に係る書籍管理システムの概略構成を示す図である。本実施形態に係る書籍管理システム１は、オフィス内にナレッジスペースを提供するものである。書籍管理システム１は、ナレッジスペースを隔成するための構造物９０と、主に月刊誌等の定期刊行物が配置される表表紙ディスプレイ用書架４０ｂと、主に単行本等が配置される背表紙ディスプレイ用書架４０ａと、書架より取り出された書籍を閲覧するための閲覧用テーブル５０ａと、書架より取り出された書籍を閲覧しながらユーザ同士がコミュニケーションをとるためのコミュニケーション・閲覧用テーブル５０ｂと、複写機２０と、ＩＣタグリーダ／ライタ端末１０と、書籍の持ち出しを監視するための検知ゲート６０と、後述する書誌情報やユーザコメントが蓄積されるデータベース３０（図示は省略する）と、を備える。なお、データベース３０は、構造物９０によって隔成されたナレッジスペース内に配置されなくてもよい。データベース３０は、有線または無線のネットワークを介して複写機２０、ＩＣタグリーダ／ライタ端末１０および検知ゲート６０と接続され、ナレッジスペース外に配置されてよい。データベース３０の配置箇所は、同一建物内の他の部屋やフロア等に限られず、インターネット等の広域ネットワークを介してデータセンタ等に配置されてもよい。
【００２８】
本実施形態では、書籍が配置される書架として、主として定期刊行物用の表表紙ディスプレイ用書架４０ｂ、および主として単行本用の背表紙ディスプレイ用書架４０ａが個別に用意されることとしているが、定期刊行物等と単行本等は、同一の書架に配置されてもよい。また、ナレッジスペースにおいて提供される書籍は、定期刊行物のみであってもよいし、単行本のみであってもよい。提供される書籍の量や種類は、ナレッジスペースが設置される空間の広さや、ナレッジスペースの設置の目的等に応じて適宜定められることが好ましい。
【００２９】
また、書架に配置される書籍には、ＩＣタグが固着される。本実施形態で用いられるＩＣタグは、ＲＦＩＤ技術を用いて、ＩＣタグに記録された情報を無線読出し（非接触読出し）および無線書込み（非接触書込み）可能な非接触ＩＣタグである。また、ＩＣタグは、書籍を破壊せずに除去することが困難な固着方法を用いて書籍に固着されることが好ましい。例えば、ステッカーや接着剤を用いて貼り付ける方法や、書籍の表紙内に封入する方法等が採用されてよい。
【００３０】
本実施形態に係るナレッジスペースには、表表紙ディスプレイ用書架４０ｂが配置され、ユーザが所望の定期刊行物を選ぶことが出来る定期刊行物ゾーンと、背表紙ディスプレイ用書架４０ａが配置され、ユーザが所望の単行本を選ぶことが出来る単行本ゾーンと、複写機２０およびＩＣタグリーダ／ライタ端末１０が配置され、ユーザが書籍の複写、貸出、返却等の処理を行うことが出来る複写・貸出／返却ゾーンとが設けられる。これらのゾーンは、ナレッジスペース内において、書架や複写機２０、ＩＣタグリーダ／ライタ端末１０等が配置されることで定義される。また、これらのゾーンは、ナレッジスペース内を構造物９０によって更に仕切ることで定義されてもよい。
【００３１】
ナレッジスペースには、閲覧ゾーンやコミュニケーション・閲覧ゾーンが設けられるこ
とが好ましい。本実施形態では、これらのユーザが書籍を閲覧するための領域には、閲覧用またはコミュニケーション・閲覧用のテーブルが配置される。また、閲覧ゾーンやコミュニケーション・閲覧ゾーンには、必要に応じて椅子が配置されてもよい。ナレッジスペースに十分な閲覧ゾーンおよびコミュニケーション・閲覧ゾーンを設けることで、ユーザは、オフィス内において自席を立ってリラックスした状態で知識の検索、収集および検討等を行うことが可能となり、ナレッジスペースを、新しいアイデア等を得るための空間として活用することが出来る。
【００３２】
図２は、本実施形態に係る書籍管理システムの機能構成を示す図である。先述の通り、書籍管理システム１は、複写機２０、ＩＣタグリーダ／ライタ端末１０、データベース３０、検知ゲート６０を備える。本実施形態における複写機２０、ＩＣタグリーダ／ライタ端末１０、データベース３０、検知ゲート６０等は何れも、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）およびネットワークインターフェース、またはこれらに相当する構成を有し、必要に応じてＨＤＤ（Ｈａｒｄ  Ｄｉｓｋ  Ｄｒｉｖｅ）やフラッシュＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の補助記憶装置を有する、情報処理装置である。また、書籍管理システム１が備える複写機２０、ＩＣタグリーダ／ライタ端末１０、データベース３０、検知ゲート６０等の端末は、ＬＡＮ等のネットワークを介して互いに通信可能に接続される。複写機２０、ＩＣタグリーダ／ライタ端末１０、データベース３０、検知ゲート６０の夫々において、ＲＡＭまたはＲＯＭに展開されたプログラムをＣＰＵが解釈および実行し、ネットワークを介して互いに通信することで、書籍管理システム１は、本発明に係る情報読出手段、画像取得手段、出力手段、出力情報蓄積手段、書誌情報蓄積手段、書誌情報検索手段、通過検知手段、ユーザ識別子入力受付手段、コメント入力受付手段およびコメント蓄積手段を備える書籍管理システム１として機能する。
【００３３】
本実施形態に係るＩＣタグリーダ／ライタ端末１０は、情報読出部１１、ユーザ識別子入力受付部１２、コメント入力受付部１３および通信部１４を有する。ＩＣタグリーダ／ライタ端末１０は、載置された書籍に固着されたＩＣタグから情報を読み出し、またはＩＣタグへ情報を書き込むためのアンテナを内蔵したアンテナ台１８を有する。情報読出部１１は、ＲＦＩＤの技術を用いて、アンテナ台１８に載置された書籍のＩＣタグから書誌情報または書籍の識別情報を読み出す。ここで、書誌情報とは、書籍のタイトル、著者名、出版社、発行年月日等を含む情報である。また、ＩＣタグリーダ／ライタ端末１０はカードリーダを有し、ユーザ識別子入力受付部１２は、カードリーダに挿入されたカード（ユーザの社員証等、ユーザ識別子が記録されたカード）から、磁気的、光学的または電気的な手段によってユーザ識別子を読み出すことでユーザ識別子の入力を受け付ける。但し、ユーザ識別子入力受付部１２は、キーボードやマウス等の入力装置を介した手入力によってユーザ識別子の入力を受け付けてもよい。
【００３４】
また、コメント入力受付部１３は、キーボードやマウス等の入力装置を介して、ユーザによるコメントの入力を受け付ける。但し、コメント入力受付部１３は、ユーザによって予め作成されたコメントの電子データの入力を受け付けても良い。例えば、ユーザによって持ち込まれた所謂ＵＳＢ（Ｕｎｉｖｅｒｓａｌ  Ｓｅｒｉａｌ  Ｂｕｓ）メモリ等の可搬型記憶媒体から情報を読み込むための手段を備え、読み込まれた電子データを、ユーザによるコメントとして受け付けてもよい。このようにして受け付けられたユーザ識別子や書誌情報、コメントは、通信部１４によってＬＡＮを介して複写機２０やデータベース３０等に送信される。また、本実施形態では、ＩＣタグリーダ／ライタ端末１０は、インターネットを経由して外部のＷｅｂサービスへ接続することが可能なように構築される。ＩＣタグリーダ／ライタ端末１０から接続されるＷｅｂサービスとしては、書籍の販売を行
うＷｅｂサービス（以下、「Ｗｅｂ書店」と称する）等が挙げられる。ＩＣタグリーダ／ライタ端末１０からＷｅｂ書店を利用する具体的な方法については、後述する。
【００３５】
検知ゲート６０は、構造物９０によって隔成されたナレッジスペースと外部の空間との間の通路に設けられ、上記ＩＣタグリーダ・ライタ端末と同様の仕組みを用いて、通過する書籍に固着されたＩＣタグから情報を読み出す。このようにすることで、通過する書籍の存在を検知し、更に、通過する書籍の書誌情報等を取得することが可能である。また、検知ゲート６０は、貸出処理が行われていない書籍の持ち出しを検知した場合に、警報を発する等して、持ち出し許可されていない書籍の持ち出しを防止することが出来る。この場合、書籍管理システム１には警報を発する警報部が設けられ、ディスプレイ１９への表示や、警報音の発生等による警告を行うことが出来る。書籍の持ち出し検知の処理の詳細については、後述する。
【００３６】
本実施形態に係る複写機２０は、画像取得部２１、印刷出力部２２、電子データ出力部２３および通信部２４を有する。画像取得部２１は、複写機２０に設けられた画像読み取り用の原稿台に配置された書籍の画像を読み取る。また、印刷出力部２２は、取得された画像を紙媒体へ印刷出力し、電子データ出力部２３は、取得された画像を電子データとして出力する。ここで、本実施形態に係る印刷出力部２２および電子データ出力部２３は、出力の際に、ＩＣタグリーダ／ライタ端末１０によって書籍のＩＣタグから読み出された書誌情報等を、画像に付加して出力する。また、画像に付加される情報は、書誌情報に限らず、ＩＣタグリーダ／ライタ端末１０に備えられたカードリーダ等によって受け付けられたユーザ識別子や、データベース３０に蓄積されたコメント、著作権関連処理が適切に行われていることを示す著作権処理表示、等が更に付加されてもよい。
【００３７】
なお、本実施形態に係る電子データ出力部２３は、画像の電子データを含む電子ファイルを出力する。ユーザは、出力される電子ファイルを、持参したＵＳＢメモリやＣＤ−Ｒ（Ｃｏｍｐａｃｔ  Ｄｉｓｃ  Ｒｅｃｏｒｄａｂｌｅ）等の可搬記録媒体に出力させて、ナレッジスペースから持ち出すことが出来る。このため、複写機２０は、ＵＳＢストレージの接続端子や、ＣＤ−Ｒドライブ等のディスクドライブ等、可搬記録媒体への書込み装置を備えることが好ましい。但し、書込み装置は、ＩＣタグリーダ／ライタ端末１０に備えられてもよい。この場合、電子データは、ＬＡＮを介して複写機２０からＩＣタグリーダ／ライタ端末１０へ一旦送信され、ＩＣタグリーダ／ライタ端末１０によって可搬記録媒体への出力が行われる。また、電子データは、ネットワークを介して、ナレッジスペース外のユーザ端末やサーバへ送信されてもよい。例えば、電子メールの添付ファイルとしてユーザのメールアドレス宛に送信する方法や、ユーザの利用するパーソナルコンピュータの共有フォルダへ書き込む方法、ユーザ端末からアクセスしてファイルをダウンロード可能なサーバへアップロードする方法等、電子データの出力の具体的な方法は、実施の形態に応じて、適宜最適なものを採用することが好ましい。
【００３８】
データベース３０は、出力情報テーブル３３、コメントテーブル３２、貸出情報テーブル３１を用いて、複写量（複写の回数）や複写日時等の情報、ユーザに入力されたコメント、および書籍の貸出状況を、書誌情報と関連付けて蓄積する。なお、本実施形態では、上記３つのテーブルを用いて情報を管理することとしているが、情報を蓄積するテーブルの形態は、本実施形態に示された具体例に限られない。例えば、書籍管理システム１によって用いられる情報は、単一のテーブルを用いて管理されてもよい。なお、データベース３０は、ＩＣタグリーダ／ライタ端末１０や複写機２０の通信部１４、２４と通信を行う通信部３５と、通信部３５を介して受信した書籍の識別情報を検索キーとして貸出情報テーブル３１を検索することで、対応する書誌情報を索出する書誌情報索出部３４と、を有する。
【００３９】
図３は、本実施形態に係る貸出情報テーブル３１に蓄積される貸出情報の構成を示す図である。貸出情報テーブル３１には、書籍に割り当てられた一意の識別情報と、書籍のタイトル、著者名、出版社、発行年月日等を含む書誌情報と、貸出中であるか否かを判定するための貸出状況と、が関連付けられて蓄積される。
【００４０】
図４は、本実施形態に係る出力情報テーブル３３に蓄積される出力情報の構成を示す図である。出力情報テーブル３３には、印刷出力であるか電子データ出力であるかを示す出力形態と、複写されたページ数等を示す複写量と、複写処理が行われた日時を示す日時情報と、複写に係る書籍を識別するための書誌情報と、複写を行ったユーザのユーザ識別子と、が関連付けられて蓄積される。なお、書誌情報に代えて、書籍の識別情報が蓄積されてもよい。書誌情報に代えて識別情報が蓄積される場合には、識別情報を用いて貸出情報テーブル３１を検索することで、複写に係る書籍の書誌情報を得ることが出来る。
【００４１】
図５は、本実施形態に係るコメントテーブル３２に蓄積される情報の構成を示す図である。コメントテーブル３２には、コメントの内容と、コメントを作成したユーザのユーザ識別子と、コメントの対象である書籍の書誌情報と、が関連付けられて蓄積される。なお、コメントを蓄積する際に、書誌情報に代えて識別情報と関連付けて蓄積してもよいことは、上記出力情報テーブル３３と同様である。
【００４２】
図６は、本実施形態において、ＩＣタグリーダ／ライタ端末１０のディスプレイ１９に最初に表示されるメインメニュー７０のイメージを示す図である。本実施形態では、ＩＣタグリーダ／ライタ端末１０はタッチセンサ式ディスプレイ１９を有し、ユーザはディスプレイ１９に表示されたボタン類に直接触れて入力を行うことが可能である。メインメニュー７０は、ライブラリの名称を示すライブラリ名称表示欄７１と、表示言語の切替を行うための表示言語選択ボタン７２と、サービス名称を示すサービス名称表示欄７３と、貸出処理を実行するための貸出ボタン７４と、複写処理を実行するための複写ボタン７５と、返却処理を実行するための返却ボタン７６と、ユーザに操作方法等の案内を示すためのメッセージ表示欄７７と、を有する。
【００４３】
次に、本実施形態に係る書籍管理システム１による処理の流れを説明する。なお、以下に説明される処理の詳細な内容および順序等は、実施の形態に応じて適宜変更や処理順序の入れ替え等されてもよい。図７は、本実施形態に係る処理の選択の流れを示すフローチャートである。本フローチャートに示された処理は、ユーザによってＩＣタグリーダ／ライタ端末１０のカードリーダに社員証等が挿入され、アンテナ台１８に書籍が載置されたことを契機として開始される。
【００４４】
ステップＳ１０１およびＳ１０２では、ユーザ識別子の入力が受け付けられ、書誌情報が読み出される。ユーザ識別子入力受付部１２は、カードリーダ等の入力装置を介した社員証等からのユーザ識別子の入力を受け付ける（ステップＳ１０１）。但し、ユーザ識別子は、タッチセンサ式ディスプレイ１９やキーボード、マウス等の入力装置を介したユーザの手入力で受け付けられてもよい。そして、情報読出部１１は、ＲＦＩＤの技術を用いて、アンテナ台１８に載置された書籍に固着されたＩＣタグから書誌情報を読み出す（ステップＳ１０２）。その後、処理はステップＳ１０３へ進む。
【００４５】
ステップＳ１０３からＳ１０９では、ユーザによる処理内容の選択が受け付けられ、選択された処理が開始される。ＩＣタグリーダ／ライタ端末１０は、タッチセンサ式ディスプレイ１９を介して、ユーザによる、メインメニュー７０に表示されたボタンの選択を受け付け（ステップＳ１０３）、貸出ボタン、複写ボタン、返却ボタンの何れが選択されたかを判定することで、ユーザによって何れの処理が選択されたかを判定する（ステップＳ１０４からステップＳ１０９）。その後、ＩＣタグリーダ／ライタ端末１０は、この選択
の内容に応じて、貸出処理、複写処理、または返却処理のうち何れかの処理を開始する。ユーザによってボタンが選択されなかった場合や、ユーザによって選択されたボタンが複写、貸出、返却の何れでもなかった場合、本フローチャートに示された処理は終了する。なお、ステップＳ１０４で複写ボタンが選択されたと判定された場合には、ＩＣタグリーダ／ライタ端末１０は、タッチセンサ式ディスプレイ１９に、著作権ポリシーおよびこの著作権ポリシーに同意するか否かを選択するためのボタン（図示は省略する）を表示し（ステップＳ１０５）、ユーザによる著作権ポリシーへの同意または非同意の選択を受け付ける（ステップＳ１０６）。著作権ポリシーとは、例えば、「著作権処理上、通常の複写代に加えて○○円が追加で課金されます」との課金メッセージや、複写した情報の配布条件を示すメッセージ等、複写処理に適用される著作権関連の取り決めや留意事項であり、実際に表示される著作権ポリシーの内容は実施の形態に応じて任意に設定可能である。そして、ＩＣタグリーダ／ライタ端末１０は、ユーザによる選択を受け付けると、選択の内容を判定する（ステップＳ１０７）。ここで、ユーザによって同意ボタンが選択された場合には、後述する複写処理が開始される。ユーザによって同意ボタンが選択されなかった場合（非同意ボタンが選択された場合）には、処理はステップＳ１１０へ進む。ステップＳ１１０では、ＩＣタグリーダ／ライタ端末１０は、著作権ポリシーにユーザが同意しなかったために複写が行われない旨をユーザに伝えるメッセージをタッチセンサ式ディスプレイ１９に表示し、ステップＳ１０３へ処理を進める。
【００４６】
図８は、本実施形態に係る複写処理の流れを示すシーケンス図である。本シーケンス図に示された処理は、図７に示された処理の選択において、複写処理が選択されたことを受けて開始される。
【００４７】
ステップＳ２０１では、出力形態の設定が受け付けられる。ＩＣタグリーダ／ライタ端末１０は、複写における出力を、印刷出力とするか電子データ出力とするかの選択を受け付ける。ユーザは、タッチセンサ式ディスプレイ１９に表示されたボタン（図示は省略する）を選択することで、印刷出力とするか電子データ出力とするかを選択する。なお、本実施形態では複写処理の都度ＩＣタグリーダ／ライタ端末１０において出力形態を選択することとしているが、出力形態は予め何れの形態で出力されるか設定されていてもよいし、また、出力形態の選択は、ＩＣタグリーダ／ライタ端末１０ではなく、複写機２０において行われてもよい。その後、処理はステップＳ２０２へ進む。
【００４８】
ステップＳ２０２では、データベース３０への情報の問い合わせが行われる。ＩＣタグリーダ／ライタ端末１０は、ステップＳ１０２で読み出された書誌情報を、コメント蓄積の有無の問い合わせであることを示す情報と共にデータベース３０に送信することで、データベース３０にコメント情報の蓄積がされているか否かの問い合わせを行う。その後、処理はステップＳ２１１へ進む。
【００４９】
ステップＳ２１１からステップＳ２１３では、ＩＣタグリーダ／ライタ端末１０より送信された問い合わせを受けて、コメントの索出および送信が行われる。データベース３０の通信部３５は、ＩＣタグリーダ／ライタ端末１０より送信された問い合わせを受信する（ステップＳ２１１）。問い合わせが受信されると、データベース３０は、問い合わせ情報に含まれる書誌情報を検索キーとして用いて、コメントテーブル３２を検索し、該当する書籍に対するコメントを索出する（ステップＳ２１２）。コメントが索出された場合、データベース３０は、索出されたコメントを、ＩＣタグリーダ／ライタ端末１０へ送信する（ステップＳ２１３）。但し、コメントが索出されなかった場合には、データベース３０は、問合せに係る書籍に対するコメントが蓄積されていないことを示す情報を、ＩＣタグリーダ／ライタ端末１０へ送信する。その後、処理はステップＳ２２１へ進む。
【００５０】
ステップＳ２２１およびＳ２２２では、コメントが受信され、複写処理に係る書籍の書
誌情報、コメント、および複写を行うユーザのユーザ識別子が複写機２０に送信される。ＩＣタグリーダ／ライタ端末１０の通信部１４は、データベース３０より送信されたコメント、またはコメントが蓄積されていない旨の通知を受信し（ステップＳ２２１）、ステップＳ１０１で受け付けられたユーザ識別子、ステップＳ１０２で読み出された書誌情報、およびステップＳ２２１で受信されたコメントを、複写機２０へ送信する（ステップＳ２２２）。その後、処理はステップＳ２３１へ進む。
【００５１】
ステップＳ２３１およびステップＳ２３２では、複写機２０によって書籍の画像が読み取られる。複写機２０は、ステップＳ２２２においてＩＣタグリーダ／ライタ端末１０より送信されたユーザ識別子、書誌情報およびコメントを受信する（ステップＳ２３１）。ユーザは、ステップＳ１０３において複写ボタンを選択した後、ＩＣタグリーダ／ライタ端末１０のディスプレイ１９に、書籍をアンテナ台１８から移動させてよい旨のメッセージ、または書籍の所望のページを開いて複写機２０へ載置することを促すメッセージ（図示は省略する）が表示されたことを確認し、書籍をアンテナ台１８から複写機２０へ移動させる。ここで、ユーザは、書籍の所望のページが読み取り可能な状態となるように、書籍を複写機２０に配置する。本実施形態では、上部に画像読み取り用の原稿台を有し、書籍の所望のページを開いてこの原稿台上に書籍を伏せることで、書籍の所望のページを読み取り可能とするタイプの複写機２０が用いられる。但し、複写機２０の読み取り方式には、その他の方式が採用されてもよい。複写機２０の画像取得部２１は、複写機２０に読み取り可能に配置された書籍を撮像することで、書籍の画像を取得する（ステップＳ２３２）。なお、本実施形態に係る複写機２０は、ステップＳ２３１においてＩＣタグリーダ／ライタ端末１０より送信された情報を受信したことを受けて、画像取得が可能な状態へ移行する。即ち、本実施形態における複写機２０は、ＩＣタグリーダ／ライタ端末１０におけるユーザ識別子の入力（ステップＳ１０１）およびＩＣタグの読み取り（ステップＳ１０２）を行わずに複写を行うことは出来ないように構成されている。その後、処理はステップＳ２３３へ進む。
【００５２】
ステップＳ２３３では、ステップＳ２３２で読み取られた画像と共に、書誌情報、出力日時、コメントおよび著作権関連処理が適切に行われていることを示す著作権処理表示が出力される。複写機２０は、ステップＳ２０１において印刷出力が選択されていた場合には印刷出力部２２によって、電子データ出力が選択されていた場合には電子データ出力部２３によって、ステップＳ２３２で取得した画像を出力する。なお、本実施形態では、出力形態はステップＳ２０１でＩＣタグリーダ／ライタ端末１０において選択されるが、出力形態の選択は、複写機２０において行われてもよい。出力形態の選択が複写機２０において行われる場合には、ステップＳ２３３に先立って、複写機２０に接続されたタッチセンサ式ディスプレイ（図示は省略する）に印刷出力または電子データ出力を選択させる選択肢が表示される。ユーザは、タッチセンサ式ディスプレイに表示された選択肢の何れかを選択することによって、出力形態を選択する。
【００５３】
出力形態として印刷出力が選択されている場合、印刷出力部２２は、画像を紙媒体に印刷する。この際、印刷出力部２２は、画像に、ステップＳ２３１で受信した書誌情報、出力日時、コメントおよび著作権処理表示を付加して、紙媒体へ印刷する。但し、コメントの蓄積が無く、ステップＳ２３１でコメントが受信されていない場合には、画像にコメントは付加されない。なお、書誌情報やコメント等に加えて、ユーザ識別子やユーザ名称が印刷されてもよい。なお、ユーザ名称は、ユーザ識別子とユーザ名称が関連付けられて蓄積された社員データベース等を、入力されたユーザ識別子を検索キーとして用いて検索することで取得することが出来る。図９は、本実施形態に係る複写機２０によって印刷出力された紙媒体のイメージを示す図である。印刷出力された紙媒体８０には、画像取得部２１によって取得された書籍の画像８１に、書誌情報、出力日時、コメント、著作権処理表示等（図中の符号８２を参照）が付加されて印刷される。
【００５４】
出力形態として電子データ出力が選択されている場合、電子データ出力部２３は、画像を電子データとして出力する。出力先は、複写機２０の有する記憶装置であってもよいし、ユーザによって持ち込まれたＵＳＢメモリやＣＤ−Ｒ等の可搬記録媒体であってもよい。電子データの出力の際、電子データ出力部２３は、画像内にステップＳ２３１で受信した書誌情報、出力日時、コメントおよび著作権処理表示を画像の一部として付加するか、画像を含む電子ファイルに、メタ情報としてステップＳ２３１で受信した書誌情報、出力日時、コメントおよび著作権処理表示を付加する。上記印刷出力部２２における処理と同様、コメントの蓄積が無い場合には、コメントの付加は行われない。また、ユーザ識別子やユーザ名称が更に付加されてよいことも、印刷出力部２２のおける説明と同様である。その後、処理はステップＳ２３４へ進む。
【００５５】
ステップＳ２３４では、出力情報が生成され、データベース３０へ送信される。複写機２０は、印刷出力であるか電子データ出力であるかを示す出力形態、複写量（書籍における画像が取得されて出力されたページ数、出力された紙媒体の枚数、または電子データとして出力された画像の数、等）、および画像の取得または出力が行われた日時、を含む出力情報が生成され、書誌情報およびユーザ識別子と共にデータベース３０へ送信される。その後、処理はステップＳ２４１へ進む。
【００５６】
ステップＳ２４１およびＳ２４２では、出力情報が受信され、ユーザ識別子および書誌情報と関連付けられて蓄積される。データベース３０は、ステップＳ２３４で送信された出力情報、書誌情報およびユーザ情報を受信し（ステップＳ２４１）、これらの情報を関連付けて出力情報テーブル３３へ蓄積する（ステップＳ２４２）。その後、本シーケンス図に示された複写処理は終了する。
【００５７】
本実施形態における複写処理によれば、複写量や複写の日時等、複写に関する情報が出力画像に付加され、更に書誌情報と関連付けられて蓄積される。このため、本実施形態によれば、出力画像に付加された書誌情報に基づいてデータベース３０を検索し、複写資料の再利用、再調査を行うことが出来る。また、本実施形態では、オフィス内のナレッジスペースにおいて上述の複写管理が行われ、複写した情報のトレーサビリティが提供されることにより、オフィスにおいてユーザがリフレッシュし、知識を得ることが出来るナレッジスペースとして完結した機能を提供することが出来る。
【００５８】
また、本実施形態に係る複写処理によれば、出力情報テーブル３３に複写量が蓄積され、また、書籍毎の複写量も容易に把握可能であるため、複写における著作権関係の権利処理（例えば、使用料の算出）を正確且つ容易に行うことが出来る。複写された書籍の書誌情報および複写量は、複写権の権利処理を行うサーバ（例えば、日本複写権センター等。図示は省略する）へインターネット等を介して送信されてもよい。更に、本実施形態では、複写された書籍の書誌情報および複写量が蓄積され、使用量の算出等の権利処理に用いられることを受けて、印刷出力または電子データ出力に、著作権（複写権）関連の処理が適切に行われていることをユーザに伝える著作権処理表示が更に付加される（ステップＳ２３３の説明を参照）。付加される著作権処理表示は、例えば、「この複写情報は、著作権関連処理が適切に行われている複写情報です。」等のメッセージ（図９を参照）であってもよいし、著作権関連処理が行われていることを通知可能な何らかの記号、アイコン等であってもよい。このような著作権処理表示が複写画像に付加されていることで、ユーザは安心して複写を行い、また複写情報を提示することが出来、更に、本システムを採用する企業は企業内外に向けて法令順守を正しく行っていることをアピールすることが可能である。
【００５９】
図１０は、本実施形態に係る貸出処理の流れを示すシーケンス図である。本シーケンス
図に示された処理は、図７に示された処理の選択において、貸出処理が選択されたことを受けて開始される。
【００６０】
はじめに、ＩＣタグリーダ／ライタ端末１０の通信部１４は、ステップＳ１０１で受け付けられたユーザ識別子、およびステップＳ１０２で読み出された書誌情報を、貸出処理であることを示す情報と共に、複写機２０へ送信する（ステップＳ３０１）。ユーザ識別子および書誌情報を受信（ステップＳ３１１）したデータベース３０は、受信した書誌情報を検索キーとして貸出情報テーブル３１を検索することで、受信した書誌情報に係る書籍の貸出情報を取得する（ステップＳ３１２）。そして、貸出情報中の貸出状況を貸出中であることを示す値に設定し（ステップＳ３１３）、貸出に伴うデータベース３０側の処理が終了したことをＩＣタグリーダ／ライタ端末１０へ通知する（ステップＳ３１４）。データベース３０の更新が終了したことの通知を受けた（ステップＳ３２１）ＩＣタグリーダ／ライタ端末１０は、アンテナ台１８に置かれた書籍に固着されたＩＣタグに、貸出中であることを示す情報を書き込み（ステップＳ３２２）、貸出処理を終了する。
【００６１】
図１１は、本実施形態に係る返却処理の流れを示すシーケンス図である。本シーケンス図に示された処理は、図７に示された処理の選択において、返却処理が選択されたことを受けて開始される。
【００６２】
はじめに、ＩＣタグリーダ／ライタ端末１０のコメント入力受付部１３は、キーボードやマウス等の入力装置を介して、ユーザによるコメントの入力を受け付ける（ステップＳ４０１）。但し、コメント入力受付部１３は、ユーザによって予め作成されたコメントの電子データの入力を受け付けても良いし、ユーザ操作によってコメントの入力を行わないことが選択された場合には、コメントの入力受付を省略してもよい。そして、ＩＣタグリーダ／ライタ端末１０の通信部１４は、ステップＳ１０１で受け付けられたユーザ識別子、ステップＳ１０２で読み出された書誌情報、およびステップＳ４０１で受け付けられたコメント（コメントの入力受付が省略された場合には送信されない）を、返却処理であることを示す情報と共に、複写機２０へ送信する（ステップＳ４０２）。
【００６３】
ユーザ識別子、書誌情報およびコメントを受信（ステップＳ４１１）したデータベース３０は、受信した書誌情報を検索キーとして貸出情報テーブル３１を検索することで、受信した書誌情報に係る書籍の貸出情報を取得する（ステップＳ４１２）。そして、貸出情報中の貸出状況を貸出可であることを示す値に設定し（ステップＳ４１３）、受信したコメントをユーザ識別子および書誌情報に関連付けて蓄積し（ステップＳ４１４）、返却に伴うデータベース３０側の処理が終了したことをＩＣタグリーダ／ライタ端末１０へ通知する（ステップＳ４１５）。データベース３０の更新が終了したことの通知を受けた（ステップＳ４２１）ＩＣタグリーダ／ライタ端末１０は、アンテナ台１８に置かれた書籍に固着されたＩＣタグから、貸出中であることを示す情報を消去し（ステップＳ４２２）、返却処理を終了する。なお、ステップＳ４２２では、貸出中であることを示す情報の消去に代えて、貸出可であることを示す情報がＩＣタグに書き込まれてもよい。
【００６４】
また、本実施形態では、貸出処理および返却処理は、ＩＣタグへの書込、およびデータベース３０の更新の両方が行われることで完了するが、貸出処理および返却処理は、ＩＣタグへの書込のみ、またはデータベース３０の更新のみで完了することとしてもよい。
【００６５】
次に、検知ゲート６０による書籍の持ち出し検知処理について説明する。検知ゲート６０は、構造物９０によって隔成されたナレッジスペースと外部の空間との間の通路に設けられ、通過する書籍に固着されたＩＣタグから情報を読み出し、書籍の通過を検知する。ここで、検知ゲート６０は、ＩＣタグから読み出された情報に、このＩＣタグが固着された書籍が貸出中であることを示す情報が含まれているか否かを判定することで、通過した
書籍が貸出処理済みであるか否かを判断する。ここで、読み出された情報に書籍が貸出中であることを示す情報が含まれていない場合、検知ゲート６０は電子メールの送信や管理端末（図示は省略する）のディスプレイへのメッセージ表示、音響の発生等の方法を用いて、管理者への通知または警報の発生を行う。但し、書籍が貸出中であるか否かの判断は、書誌情報をデータベース３０に送信し、データベース３０に貸出情報テーブル３１を検索させることで判断されてもよい。
【００６６】
また、本実施形態に係るＩＣタグリーダ／ライタ端末１０は、Ｗｅｂ書店に接続可能なように構成されている。具体的には、ＩＣタグリーダ／ライタ端末１０は、書籍に固着されたＩＣタグから読み出した書誌情報または識別情報を検索キーとしてＷｅｂ書店へ送信し、Ｗｅｂ書店において販売されている書籍の情報を索出し、索出された情報を確認したユーザによる注文操作を受けて注文要求をＷｅｂ書店に送信することで、ＩＣタグリーダ／ライタ端末１０から書籍の注文および購入を行うことを可能としている。なお、Ｗｅｂ書店を介して書籍のオーダーを行う際にディスプレイ１９に表示されるインターフェースは、Ｗｅｂ書店から送信されるＷｅｂページをＷｅｂブラウザが解釈して表示したものであってもよいし、Ｗｅｂ書店から送信された情報をＩＣタグリーダ／ライタ端末１０に予め用意された専用のフォーマットに従って配置して表示したものであってもよい。
【００６７】
このように、アンテナ台１８に載置した書籍の注文をＩＣタグリーダ／ライタ端末１０から行うことを可能とすることで、ユーザは、ナレッジスペースにおいて書籍を閲覧し、気に入ったものを、カードリーダへの社員証等の挿入とアンテナ台１８への書籍の載置、および簡単な端末の操作のみで購入することが可能である。なお、書架にない書籍についても、ＩＣタグリーダ／ライタ端末１０に設けられたキーボード等を用いて書籍の名称等を入力させることで、注文可能としてもよい。
【００６８】
なお、情報読出部１１は、書籍に固着されたＩＣタグに書誌情報が記録されていない場合には、ＩＣタグに記録された識別情報（書籍を識別可能な情報）を読み出し、書誌情報は、読み出された識別情報に基づいてデータベース３０から索出することで取得されてもよい。より具体的には、ＩＣタグから書誌情報が読み出されず、識別情報のみが読み出された場合、ＩＣタグリーダ／ライタ端末１０は、ステップＳ２０２のコメント有無問い合わせ処理において、コメント有無の問い合わせと同時に、識別情報に対応する書誌情報をデータベース３０に問い合わせる。書誌情報の問い合わせを受けたデータベース３０の書誌情報索出部３４は、識別情報を検索キーとして貸出情報テーブル３１を検索することで、読み出された識別情報に対応する書誌情報を索出し、ＩＣタグリーダ／ライタ端末１０に送信する。但し、書誌情報の問い合わせは、ＩＣタグリーダ／ライタ端末１０に代えて、複写機２０によって行われてもよい。また、貸出処理や返却処理等、複写処理以外の処理においても、識別情報のみが読み出された場合には、必要に応じてデータベース３０へ書誌情報の問い合わせを行うことが出来る。
【００６９】
次に、書籍管理システム１をオフィス内におけるナレッジスペースとして隔成するための構造物９０について説明する。図１２Ａ、図１２Ｂおよび図１２Ｃは、本実施形態における構造物９０の構成の一例を、夫々異なる角度から示す図である。図１２Ａ、図１２Ｂおよび図１２Ｃに示された例では、構造物９０は、支柱９１と、支柱９１間を繋ぐビーム９２と、ビーム９２に設けられた照明器具９３と、支柱９１間に設けられた表表紙ディスプレイ用書架４０ｂと、背表紙ディスプレイ用書架４０ａと、複写機２０の設置スペース９５と、複写機２０を使用するユーザによって複写ページの選定や付箋の添付作業に用いられる作業台９６と、半円筒型の仕切りと小テーブルからなる携帯電話用の通話ブース９４と、ディスプレイ１９と、コミュニケーション・閲覧用テーブル５０ｂと、を有する。なお、ＩＣタグリーダ／ライタ端末１０の本体および複写機２０の図示は省略している。
【００７０】
支柱９１は、支柱９１の４側面に、支柱９１の略全長に亘って高さ方向に設けられた溝部を有する。このため、前記書架や通話用ブース９４、ディスプレイ１９等を、支柱９１における任意の高さに固定することが可能である。また、ビーム９２は、ビーム９２の略全長に亘って上部および下部に設けられた溝部を有する。このため、ビーム９２下部の任意の位置に照明器具９３等を固定することが可能であり、また、ビーム９２の上部に設けられた溝の内部に配線類を通すことで、照明器具９３やディスプレイ１９、ＩＣタグリーダ／ライタ端末１０、複写機２０等のための配線を、外観を損なわずに配線することが可能である。
【００７１】
背表紙ディスプレイ用書架４０ａは、書籍の横幅と略同寸の奥行を有する底部４１、および書架の両端に設けられて書籍の脱落を防止する仕切部４２を有することで、単行本等の背表紙をユーザに視認可能なように書籍を陳列することが可能な書架である。また、背表紙ディスプレイ用書架４０ａは、先述の通り支柱９１の任意の高さに固定可能であり、書架の段数も必要に応じて選択可能であるため、配置される単行本のサイズや分量に応じて、適宜最適な書架の高さ、間隔、数等を設定することが可能である。表表紙ディスプレイ用書架４０ｂは、支柱９１間に取り付けられるパネル４３と、パネル４３に取り付けられ、垂直よりも若干下部が手前へ出るように角度が付けられていることで書籍の裏表紙を支持する背板部４４と、書籍の厚さと略同寸の奥行を有し、背板部４４に置かれた書籍の底部を支持する支持部４５と、を有することで、定期刊行物等の表表紙がユーザに視認可能なように書籍を陳列することが可能な書架である。表表紙ディスプレイ用書架４０ｂについても、パネル４３に取り付けられる背板部４４および支持部４５との組み合わせの取り付け位置や幅、数等を選択可能である。即ち、本実施形態において、書架はナレッジスペースを隔成するための構造物９０の一部として提供される。
【００７２】
図中のディスプレイ１９は、このディスプレイ１９近傍に設置されるアンテナ台（図示は省略する）と組み合わせられることで、本実施形態に係るＩＣタグリーダ／ライタ端末１０として用いられる。この場合、先述の通り、ディスプレイ１９にはタッチセンサ式ディスプレイ１９が用いられることが好ましい。なお、ディスプレイ１９は、ＩＣタグリーダ／ライタ端末１０としてではなく、書籍に関する情報やその他ビジネス関連の情報等を含むコンテンツが表示される情報配信用端末として用いられてもよい。
【００７３】
このようなナレッジスペースをオフィス内に構築することで、この空間を、ユーザは業務中のリラックスや、アイデア創出のための空間として活用することが出来、また、上述の複写処理等が行われることによって、このナレッジスペースで得られた情報について適切に著作権に関する処理を行うことが出来る。即ち、企業は、本実施形態に係る書籍管理システム１を導入することで、書籍の管理や複写によって生じる著作権関連の処理の手間を増やすことなく、従業員の知的生産活動を向上させることが可能である。
【００７４】
図１３は、実施形態に係る、背表紙ディスプレイ用書架４０ａが省略され、表表紙ディスプレイ用書架４０ｂが配置されたナレッジスペースの例を示す図である。図１３に示された書籍管理システム１は、支柱９１、ビーム９２、照明器具９３、表表紙ディスプレイ用書架４０ｂ、ディスプレイ１９、コミュニケーション・閲覧用テーブル５０ｂを有する。なお、ＩＣタグリーダ／ライタ端末１０および複写機２０の図示は省略している。ナレッジスペースを隔成する構造物９０をこのような構成とすることで、ナレッジスペースをより省スペースにし、空間的な制約の多いオフィスにも本発明に係る書籍管理システム１を設置することが可能となる。
【図面の簡単な説明】
【００７５】
【図１】実施形態に係る書籍管理システムの概略構成を示す図である。
【図２】実施形態に係る書籍管理システムの機能構成を示す図である。
【図３】実施形態に係る貸出情報テーブルに蓄積される貸出情報の構成を示す図である。
【図４】実施形態に係る出力情報テーブルに蓄積される出力情報の構成を示す図である。
【図５】実施形態に係るコメントテーブルに蓄積される情報の構成を示す図である。
【図６】実施形態において、ＩＣタグリーダ／ライタ端末のディスプレイに最初に表示されるメインメニューのイメージを示す図である。
【図７】実施形態に係る処理の選択の流れを示すフローチャートである。
【図８】実施形態に係る複写処理の流れを示すシーケンス図である。
【図９】実施形態に係る複写機によって印刷出力された紙媒体のイメージを示す図である。
【図１０】実施形態に係る貸出処理の流れを示すシーケンス図である。
【図１１】実施形態に係る返却処理の流れを示すシーケンス図である。
【図１２Ａ】実施形態における構造物の構成の一例を示す図Ａである。
【図１２Ｂ】実施形態における構造物の構成の一例を示す図Ｂである。
【図１２Ｃ】実施形態における構造物の構成の一例を示す図Ｃである。
【図１３】実施形態に係る、背表紙ディスプレイ用書架が省略され、表表紙ディスプレイ用書架が配置されたナレッジスペースの例を示す図である。
【符号の説明】
【００７６】
１  書籍管理システム
１０  ＩＣタグリーダ／ライタ端末
１１  情報読出部
１２  ユーザ識別子入力受付部
１３  コメント入力受付部
１８  アンテナ台
１９  タッチセンサ式ディスプレイ
２０  複写機
２１  画像取得部
２２  印刷出力部
２３  電子データ出力部
３０  データベース
３１  貸出情報テーブル
３２  コメントテーブル
３３  出力情報テーブル
３４  書誌情報索出部
４０ａ、４０ｂ  書架
５０ａ、５０ｂ  テーブル
６０  検知ゲート
９０  構造物
【図１】
2009277107.tif 000003
【図２】
2009277107.tif 000004
【図３】
2009277107.tif 000005
【図４】
2009277107.tif 000006
【図５】
2009277107.tif 000007
【図６】
2009277107.tif 000008
【図７】
2009277107.tif 000009
【図８】
2009277107.tif 000010
【図９】
2009277107.tif 000011
【図１０】
2009277107.tif 000012
【図１１】
2009277107.tif 000013
【図１２Ａ】
2009277107.tif 000014
【図１２Ｂ】
2009277107.tif 000015
【図１２Ｃ】
2009277107.tif 000016
【図１３】
2009277107.tif 000017